(57)【要約】      （修正有）【課題】座席の損傷や汚れを効果的に防止でき、設置時のずれを防止しつつ着脱が容易であり、座席背面の手摺を露出することができるバス車両用座席シートカバーを提供する。【解決手段】乗客用の座席を覆うバス車両用座席カバーであって、ニットにより形成され、座席における乗客の背中が接触する前面部と上面部と背面部の一部とを覆い、座席の背面部に設けてある手摺を露出させるように覆う形状の本体部１０と、伸縮可能な素材で本体部に連設されており、座席の側面部を覆う形状の側面伸縮部２０と、座席の上方向にずれることを防止するため座席の下部に係止される係止部３０，３５とを備え、側面伸縮部は、座席の前面部から背面部へ向かう方向と、上面部から座席の下部へ向かう方向と、背面部から前面部へ向かう方向とへ働く張力により本体部を座席に圧着させる。【選択図】図１
0003188535.tif 000002
【実用新案登録請求の範囲】
【請求項１】
バス車両の乗客用の座席を覆うバス車両用座席カバーであって、
ニットにより形成され、前記座席における乗客の背中が接触する前面部と上面部と背面部の一部とを覆い、前記座席の前記背面部に設けてある手摺を露出させるように覆う形状の本体部と、
伸縮可能な素材で前記本体部に連設されており、前記座席における側面部を覆う形状の側面伸縮部と、
前記座席の上方向にずれることを防止するため前記座席の下部に係止される係止部と
を備え、
前記側面伸縮部は、前記座席の前記前面部から前記背面部へ向かう方向と、前記上面部から前記座席の下部へ向かう方向と、前記背面部から前記前面部へ向かう方向とへ働く張力により前記本体部を前記座席に圧着させることを特徴とするバス車両用座席カバー。
【考案の詳細な説明】
【技術分野】
【０００１】  本考案は、バス車両の座席に対して、着脱自在に設けられる座席カバーに関連し、特に、座席の損傷および汚れを防止するとともに着脱容易に構成されたバス車両用座席カバーに関する。
【背景技術】
【０００２】  従来のバス車両の座席には、座席の損傷および汚れを防止するために、汚れが目立ちやすい箇所（例えば、座席における乗客の頭が接触する部分）を中心にシートカバーを設けていた（例えば、特許文献１。）。また、座席を清潔に保つことを目的に、適時に、シートカバーを座席から外して、洗濯して、また設置するといったことを実施していた。
【先行技術文献】
【特許文献】
【０００３】
【特許文献１】登録実用新案第３１４２７１３号
【特許文献２】登録実用新案第３０５０９８０号
【考案の概要】
【考案が解決しようとする課題】
【０００４】  特許文献１のシートカバーは、座席における乗客の頭が接触する部分を中心に設けられているだけであり、乗客の背中が接触する部分については、カバーできなかった。例えば、幼児用バスでは、座席における乗客の背中が接触する部分に、損傷および汚れが目立つことが多く、損傷や汚れがひどくなった場合には、衛生的な見地から座席本体の交換を行うことがあった。そのため、幼児用バスに特許文献１のシートカバーを利用しても、汚れを防止する効果は十分ではなかった。【０００５】  特許文献２のシートカバーは、座席全体を覆うような形態であり、座席における乗客の頭が接触する部分の全体を覆うように設置することによって、座席における乗客の身体が接触する部分の全体をカバーするものである。このようなシートカバーを幼児用バスにて利用した場合には、乗客である幼児の動きによって、シートカバーが捲れたり、ずれたりして、損傷や汚れを防止する効果を十分に発揮できなかった。【０００６】  また、例えば、一般的なバスにおいては、バス運行中の乗客の安全面を考慮して、座席の背面に手摺が設けられている。特許文献１および特許文献２のシートカバーにおいては、シートカバーを設置した場合の手摺の露出について考慮されていないため、特許文献１および特許文献２のシートカバーをバスの座席に利用した場合には、乗客は手摺を持つことが難しいことがあった。【０００７】  本考案は、上記問題を解決するためになされたものであり、その目的は、従来のシートカバーに比べ、バス車両の座席における損傷や汚れを効果的に防止することができ、設置したときのずれを防止しつつ着脱が容易であり、座席背面の手摺を露出することができるバス車両用座席シートカバーを提供することにある。
【課題を解決するための手段】
【０００８】  以下、本考案において、上記目的を達成するために採用した構成について説明する。【０００９】  本考案のバス車両用座席カバーは、バス車両の乗客用の座席を覆うバス車両用座席カバーであって、ニットにより形成され、前記座席における乗客の背中が接触する前面部と上面部と背面部の一部とを覆い、前記座席の前記背面部に設けてある手摺を露出させるように覆う形状の本体部と、伸縮可能な素材で前記本体部に連設されており、前記座席における側面部を覆う形状の側面伸縮部と、前記座席の上方向にずれることを防止するため前記座席の下部に係止される係止部とを備え、前記側面伸縮部は、前記座席の前記前面部から前記背面部へ向かう方向と、前記上面部から前記座席の下部へ向かう方向と、前記背面部から前記前面部へ向かう方向とへ働く張力により前記本体部を前記座席に圧着させることを特徴とする。【００１０】  このようなバス車両用座席カバーであれば、バス車両の乗客用の座席における乗客の背中が接触する前面部を覆うこととなるため、バス車両の座席において損傷や汚れが目立つ箇所が覆われる。したがって、バス車両の座席における損傷や汚れを効果的に防止することができる。【００１１】  また、このようなバス車両用座席カバーであれば、係止部と側面伸縮部とによって、設置したときのずれを防止することができる。また、側面伸縮部は伸縮可能な素材で形成されているため、側面伸縮部を伸ばした状態で、座席に嵌め込むようにすると、容易に設置することができる。さらに、バス車両用座席カバーが設置されている状態で、側面伸縮部を伸ばして、座席に対する本体部の圧着を解放せしめると、容易に取り外しが可能である。【００１２】  そして、このようなバス車両用座席カバーであれば、本体部が座席の背面部に設けてある手摺を露出させるように設置される形状であるため、座席背面の手摺を露出した状態で設置することができる。したがって、乗客は、手摺を利用することができ、乗客の安全を阻害することがない。
【図面の簡単な説明】
【００１３】
【図１】（ａ）、（ｂ）は、実施例１のバス車両用座席カバー１を示す斜視図である。
【図２】実施例１のバス車両用座席カバー１を座席１００に設置した状態を示す図であり、（ａ）、（ｂ）は斜視図で、（ｃ）は側面伸縮部２５の拡大図である。
【図３】実施例２のバス車両用座席カバー５を示す図であり、（ａ）は斜視図で、（ｂ）、（ｃ）は座席１００に設置した状態の斜視図である。
【考案を実施するための形態】
【００１４】  次に、本考案の実施例について、いくつかの具体的な例を挙げて説明する。
【実施例１】
【００１５】  本実施例のバス車両用座席カバー１は、図１（ａ）、（ｂ）に示すように、本体部１０と、側面伸縮部２０，２５と、係止部３０，３５とから構成されている。【００１６】  本体部１０は、ポリエステル繊維をニット状にしたトリコット生地で形成されている。側面伸縮部２０，２５は、ポリエステル繊維を伸縮可能なニット状にした横編み生地で形成されており、本体部１０の両方の側部にオーバーロックミシンによって縫い合わせられている。係止部３０，３５は、合成繊維で破断されにくく形成されており、本体部１０の下部に縫い付けられている。また、係止部３０，３５には、スナップボタン３２，３７が設けられている。【００１７】  次に、図２（ａ）、（ｂ）を用いて、バス車両用座席カバー１が座席１００に設置された状態について説明する。図２（ａ）に示すように、バス車両用座席カバー１を座席１００に設置すると、本体部１０によって、座席１００の前面部はすべて覆われることとなる。このように、バス車両の座席１００にバス車両用座席カバー１を設置すると、座席１００の前面部がすべて覆われるため、座席１００における損傷や汚れを効果的に防止することができる。【００１８】  また、図２（ｂ）に示すように、座席１００の背面部における手摺１２０が露出した状態で、バス車両用座席カバー１が座席１００に設置されることとなる。このように、手摺１２０が露出しているため、乗客は、バス車両が揺れた場合などに、手摺を利用することができる。さらに、バス座席車両用座席カバー１０の下部においては、係止部３０，３５を座席フレーム１５０に巻き付けて、スナップボタン３２，３７で留めることによって、座席１００に係止されることとなる。【００１９】  また、図２（ｃ）に示すように、バス車両用座席カバー１を座席１００に設置している場合、側面伸縮部２５は、座席１００の前面部から背面部へ向かう方向（矢印４０の方向）と、座席１００の上面部から下部へ向かう方向（矢印４３の方向）と、座席１００の背面部から前面部へ向かう方向（矢印４７の方向）とへ働く張力により本体部１０を座席１００に圧着させている。このように、バス車両用座席カバー１を座席１００に設置すると、座席１００の上部および下部において、固定されることとなるため、乗客の動作によってバス車両用座席カバー１が捲れたり、ずれたりすることを防止できる。【００２０】  また、設置されているバス車両用座席カバー１０を座席１００から外す場合には、係止部３０，３５の係止を解除して、側面伸縮部２０，２５を伸ばしながら座席１００から抜く作業を行う。このように、簡単な作業で設置されているバス車両用座席カバー１０を座席１００から外すことができる。
【実施例２】
【００２１】  本実施例のバス車両用座席カバー５は、図３（ａ）に示すように、本体部５０と、側面伸縮部６０，６５と、係止部７０，７５とから構成されている。本体部５０および側面伸縮部６０，６５は、上述の実施例１と同じ素材で形成されている。係止部７０，７５は、所謂ストラップであり、図３（ｂ）示すように、座席１００の背もたれ部と座面部との隙間に挟み込まれることによって、座席１００に係止されることとなる。【００２２】  次に、図３（ｂ）、（ｃ）を用いて、バス車両用座席カバー５が座席１００に設置された状態について説明する。図３（ｂ）に示すように、バス車両用座席カバー５を座席１００に設置すると、本体部５０によって、座席１００の前面部における上部の一部が覆われることとなる。このように、バス車両の座席１００にバス車両用座席カバー５を設置すると、座席１００の前面部における乗客の背中が接触し、損傷および汚れが目立つ部分が覆われるため、座席１００における損傷や汚れを効果的に防止することができる。【００２３】  また、本実施例のバス車両用座席カバー５であっても、実施例１のバス車両用座席カバー１と同様の効果を奏し、使用中の捲れやずれを防止しつつ着脱が容易で、座席背面の手摺を露出することができるものである。【００２４】  以上、本考案の実施形態について説明したが、本考案は上述の具体的な実施例に限定されず、この他にも種々の形態で実施することができる。例えば、上述の実施例のバス車両用座席カバー１，５において、抗菌性を有する物質でコーティングするといった抗菌加工を施しても良い。
【符号の説明】
【００２５】  １，５・・・バス車両用座席カバー、１０，５０・・・本体部、２０，２５，６０，６５・・・側面伸縮部、３０，３５，７０，７５・・・係止部、３２，３７・・・スナップボタン、１００・・・座席、１２０・・・手摺、１５０・・・座席フレーム。
【図１】
0003188535.tif 000003
【図２】
0003188535.tif 000004
【図３】
0003188535.tif 000005